(57)【要約】【課題】光学膜片構造の提供。【解決手段】本発明の光学膜片は一表面に、複数の棒状のマイクロ導光体を設置する。各マイクロ導光体は、複数の頂峰を有し、これらの頂峰の高度は一致せず、高低が異なり、且つ、高峰、或いは、低峰の一者は、それぞれ、左右連続湾曲、或いは、高度上下連続起伏の形態を呈する。高峰の頂端は円弧状で、円弧状の高峰は、光学膜片の高峰が摩損を受けたり、或いは、その他の部分が摩損するのを防止して、光学膜片、及び、その他の部品の出光効果を保護する。【選択図】    図２
2010078794.tif 000002
【特許請求の範囲】
【請求項１】
光学膜片構造であって、前記光学膜片は一表面に複数のマイクロ導光体を形成し、且つ、各マイクロ導光体は、二個、或いは、二個以上の頂峰を有し、前記頂峰は高低が異なる状態で、低峰と高峰を形成し、その特徴は、前記高峰の頂端は円弧状であることを特徴とする光学膜片構造。
【請求項２】
前記マイクロ導光体は、前記光学膜片の本体と相同、或いは、不相同の材質であることを特徴とする請求項１に記載の光学膜片構造。
【請求項３】
前記マイクロ導光体の低峰は、左右連続湾曲の形態であることを特徴とする請求項１に記載の光学膜片構造。
【請求項４】
前記マイクロ導光体の高峰は、左右連続湾曲の形態であることを特徴とする請求項１に記載の光学膜片構造。
【請求項５】
前記マイクロ導光体の低峰の高度は、上下連続起伏の形態であることを特徴とする請求項１に記載の光学膜片構造。
【請求項６】
前記マイクロ導光体の高峰の高度は、上下連続起伏の形態であることを特徴とする請求項１に記載の光学膜片構造。
【請求項７】
前記マイクロ導光体の低峰は、同時に、左右連続湾曲し、且つ、高度が上下連続起伏する形態であることを特徴とする請求項１に記載の光学膜片構造。
【請求項８】
前記マイクロ導光体の高峰は、同時に、左右連続湾曲し、且つ、高度が上下連続起伏する形態であることを特徴とする請求項１に記載の光学膜片構造。
【請求項９】
前記マイクロ導光体の高峰と低峰は、同時に、左右連続湾曲で、且つ、高度は上下連続起伏の形態であることを特徴とする請求項１に記載の光学膜片構造。
【請求項１０】
前記マイクロ導光体の低峰の頂端は円弧状であることを特徴とする請求項１に記載の光学膜片構造。
【請求項１１】
光源膜片構造であって、前記光学膜片は一表面に複数のマイクロ導光体を形成し、且つ、各マイクロ導光体は、二個、或いは、二個以上の頂峰を有し、前記頂峰は相同の高度で、その特徴は、前記頂峰の頂端は円弧状であることを特徴とする光学膜片構造。
【請求項１２】
前記マイクロ導光体は、前記光学膜片の本体と相同、或いは、不相同の材質であることを特徴とする請求項１１に記載の光学膜片構造。
【請求項１３】
前記マイクロ導光体は、一部の頂峰が左右連続湾曲で、一部の頂峰が直線の形態であることを特徴とする請求項１１に記載の光学膜片構造。
【請求項１４】
前記マイクロ導光体の各頂峰は皆左右連続湾曲の形態であることを特徴とする請求項１１に記載の光学膜片構造。
【請求項１５】
前記マイクロ導光体の各頂峰の高度は上下連続起伏の形態であることを特徴とする請求項１１に記載の光学膜片構造。
【請求項１６】
前記マイクロ導光体の一部の頂峰の高度は上下連続起伏で、一部の頂峰の高度は均一の形態であることを特徴とする請求項１１に記載の光学膜片構造。
【請求項１７】
前記マイクロ導光体の各頂峰は同時に左右連続湾曲で、且つ、高度は全部、上下連続起伏の形態であることを特徴とする請求項１１に記載の光学膜片構造。
【請求項１８】
前記導光体は一部の頂峰が同時に左右連続湾曲で、且つ、高度は全部、上下連続起伏の形態で、一部の頂峰は直線の形態であることを特徴とする請求項１１に記載の光学膜片構造。
【請求項１９】
前記マイクロ導光体の一部の頂峰は左右連続湾曲で、一部の頂峰は上下連続起伏の形態であることを特徴とする請求項１１に記載の光学膜片構造。
【発明の詳細な説明】
【技術分野】
【０００１】
本発明は、光学膜片構造に関するものであって、特に、光学膜片が摩損を受けるのを防止する構造に関するものである。
【背景技術】
【０００２】
図１で示されるように、公知のバックライトモジュール１は、導光板１１、反射膜片１２、数が不等の光学膜片１３、及び、ランプ源１４、からなる。
【０００３】
導光板１１は、少なくとも一つの入光面１１１、及び、反射面１１２、及び、出光面１１３を有する。入光面１１１は、ランプ源１４が発する光源を受けとり、光源が導光板１１内部に向かって伝送される。反射面１１２は、光源を反射して、光源の進行方向を変更する。且つ、反射面１１２中に多数の導光点１１２１を設置し、これらの導光点１１２１を利用して、光の全反射条件を破壊し、光源が反射時の均一効果を達成する。出光面１１３は、導光板１１中の光源を対外に出力する。
【０００４】
反射膜片１２は、導光板１１の反射面１１２外部に設置され、導光板１１外に漏れた光源を反射して、導光板１１中に戻す。
【０００５】
数量が不等の光学膜片１３は、導光板１１の出光面１１３の外に設置され、光学膜片１３は、光源を拡散させる拡散膜（Diffusion  film）１３１、及び、光源を集光するプリズム膜（Prism
film）１３２を有する。必要に応じて、それぞれ、異なる数量、及び、順序により設置し、プリズム膜１３２の一表面に極細のプリズム柱体１３２１を形成し、且つ、プリズム柱体１３２１は直線で、プリズム膜１３２の表面上に配列され、二プリズム膜片１３２中のプリズム柱体１３２１は垂直方式で配置されて、光源を各方向の集光を達成する。
【０００６】
ランプ源１４は光源の主要源で、主に、導光板１１の入光面１１１の外に設置され、使用数量は商品の規格要求により調整する。
【０００７】
上述のバックライトモジュール１は、二個のプリズム膜片１３２を設置して、液晶ディスプレイに応用する要求を達成する必要があるが、プリズム膜片１３２表面上のプリズム柱体１３２１は頂端が尖角状であるので、プリズム膜片１３２を重畳放置する時、プリズム柱体１３２１頂端の尖角の摩損が生じやすく、或いは、プリズム柱体１３２１が上方のその他の光学膜片１３を摩損し、バックライトモジュール１の出光効果が悪くなる。
【発明の開示】
【発明が解決しようとする課題】
【０００８】
本発明の目的は、光学膜片構造を提供し、上述の問題を改善することにある。
【課題を解決するための手段】
【０００９】
本発明の光学膜片構造は、光学膜片の一表面上に複数の棒状のマイクロ導光体を設置し、各マイクロ導光体は、二個、或いは、それ以上の頂峰を有し、マイクロ導光体の頂峰は高低が異なり、高峰、或いは、低峰の一者はそれぞれ、左右が連続湾曲するか、或いは、高度が上下に連続起伏する設計で、高峰の頂端は円弧状で、円弧状の高峰により、光学膜片の高峰が摩損を受けたり、或いは、その他の部分を摩損するのを防止し、光学膜片、及び、その他の部分の出光効果を保護する。
【発明の効果】
【００１０】
本発明により、光学膜片、及び、その他の部分の出光効果を保護することができる。
【発明を実施するための最良の形態】
【００１１】
図２〜図５で示されるように、本発明の光学膜片２は好ましい透光材質からなり、光学膜片２は一表面２１上に複数のマイクロ導光体２２を設置し、これらの導光体２２は、光学膜片２の本体と同一材質か、或いは、光学膜片２の本体と異なる材質である。各マイクロ導光体２２は二個以上の頂峰２２１を有し、且つ、マイクロ導光体２２の頂峰２２１は高低が異なる状態で、低峰２２１１、及び、高峰２２１２を形成し（本発明は二個の頂峰を例とする）、高峰２２１２の頂端は円弧状である。図６で示されるように、低峰２２１１の頂端も円弧状でもよい。
【００１２】
また、マイクロ導光体２２の低峰２２１１、或いは、高峰２２１２の一者が左右に連続湾曲した形態で、これにより、光源が光学膜片２を通過するとき、左右に連続湾曲した低峰２２１１（或いは、高峰２２１２）により、光源がマイクロ導光体２２を経て集光後、離れた光束は、単純な直線ではなく、各光束は湾曲の変化を有し、集成された光源は過度の規則化にならず、光源が液晶パネル中の薄膜トランジスタ、及び、カラーフィルターを通過するとき、光源は回折を生じず、液晶パネル表示時に、干渉紋が生成されない。円弧状の高峰２２１２は、光学膜片２の組み立て完成後、或いは、光学膜片２のテスト時に、膜片のスタック時に摩擦を生成して、高峰２２１２、及び、低峰２２１１の頂端が摩損を生じたり、その他の部品が摩損するのを防止して、光学膜片２、及び、その他の部品の出光功能を保護する。
【００１３】
次に、図７〜図１０を参照すると、本発明の実施時、各マイクロ導光体２２中の低峰２２１１、或いは、高峰２２１２の一者は、高度が上下に連続起伏し、よって、光源が光学膜片２を通過するとき、マイクロ導光体２２の低峰２２１１（或いは、高峰２２１２）を上下連続起伏に設置し、同様に、光学膜片２の集光作用を経た光束は一致性がなく、光源は液晶パネル中の薄膜トランジスタ、及び、カラーフィルターを通過後、液晶パネル表示時に、干渉紋を生成しない。円弧状の高峰２２１２は、光学膜片２の組み立て完成後、或いは、光学膜片２のテスト時、膜片のスタック時に生成される摩擦により、高峰２２１２の頂端が摩損を受けたり、或いは、その他の部分が摩損するのを防止し、光学膜片２、及び、その他の部分の出光効果を保護する。
【００１４】
図１１〜図１４を参照すると、本発明は、実施時に、各マイクロ導光体２２中の低峰２２１１、或いは、高峰２２１２の一者が、同時に、左右連続湾曲し、且つ、高度が上下連続起伏し、或いは、図１５、図１６で示されるように、各マイクロ導光体２２中の低峰２２１１、或いは、高峰２２１２の二者は、同時に、左右連続湾曲し、且つ、高度が上下連続起伏し、これにより、光源が光学膜片２を通過する時、マイクロ導光体２２の低峰２２１１（或いは、高峰２２１２）を、左右連続湾曲、且つ、上下が連続起伏状に設置することにより、同様に、光学膜片２の集光作用を経た光束は一致性がなく、光源は液晶パネルの薄膜トランジスタ、及び、カラーフィルターを通過後、液晶パネル表示時、干渉紋を生成しない。円弧状の高峰２２１２は、光学膜片２の組み立て完成後、或いは、光学膜片２のテスト時に、膜片スタック時に、摩擦を生成して、高峰２２１２の頂端が摩損を受けたり、その他の部分が摩損を受けるのを防止し、光学膜片２、及び、その他の部品の出光功能を保護する。
【００１５】
図１７、図１８を参照すると、本発明は実施時に、光学膜片３の一表面３１に、複数の棒状のマイクロ導光体３２を形成し、各マイクロ導光体３２は、二個以上の頂峰３２１を有し、且つ、各マイクロ導光体３２の頂峰３２１は相同の高度で、全部の頂峰３２１、或いは、一部の頂峰３２１形態は変化し（本実施例は三個の頂峰を例とする）、例えば、マイクロ導光体３２中央の頂峰３２１１は左右連続湾曲の設計で、二側の頂峰３１２１、３２１３は直線式の設計で、各マイクロ導光体の頂峰３２１は円弧状で、これにより、光源が光学膜片３を通過する時、マイクロ導光体３２中央の頂峰３２１１を左右連続湾曲形態に設置することにより、光束は一致性がなく、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００１６】
図１９、図２０を参照すると、本発明は実施時に、光学膜片３の各マイクロ導光体３２の全部の頂峰３２１１、３２１２、３２１３は皆左右連続湾曲の形態で、これにより、更に、作用を経た光束が変化を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００１７】
図２１、図２２を参照すると、本発明は実施時に、光学膜片３の各マイクロ導光体３２の二側の頂峰３２１２、３２１３は左右連続湾曲の形態で、中央の頂峰３２１１は直線式の形態であるので、同様に、マイクロ導光体３２の作用を経た光束が変化を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００１８】
図２３、図２４を参照すると、本発明は実施時に、光学膜片３の各マイクロ導光体３２の頂峰３２１１、３２１２、３２１３の高度が皆上下連続起伏の形態で、これにより、光源が光学膜片３を通過する時、マイクロ導光体３２の頂峰３２１１、３２１２、３２１３の高度が、上下連続起伏の形態に設置されることにより、作用を経た光束は変化を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００１９】
図２５、図２６を参照すると、本発明は実施時に、光学膜片３の各マイクロ導光体３２の二側の頂峰３２１２、３２１３は上下連続起伏の形態で、中央の頂峰３２１１の高度は均一であり、これにより、光源が光学膜変３を通過する時、マイクロ導光体３２中の二側の頂峰３２１２、３２１３の高度が超下連続起伏の形態に設置されて、マイクロ導光体３２の作用を経た光束が変化を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００２０】
図２７、図２８を参照すると、本発明は実施時に、光学膜片３の各マイクロ導光体３２の中央位置の頂峰３２１１は上下連続起伏の形態で、二側の頂峰３２１２、３２１３の高度が均一で、これにより、各マイクロ導光体３２中の頂峰３２１１の高度は、上下連続起伏の形態に設置され、マイクロ導光体３２の作用を経た光束は変化性を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００２１】
図２９、図３０を参照すると、本発明は実施時に、光学膜片３の各マイクロ導光体３２の頂峰３２１１、３２１２、３２１３は、同時に、左右連続湾曲で、且つ、高度が上下連続起伏の形態で、これにより、マイクロ導光体３２の作用を経た光束は変化性を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００２２】
図３１、図３２を参照すると、本発明は実施時に、光学膜片３の各マイクロ導光体３２の中央位置の頂峰３２１１は、同時に、左右連続湾曲で、且つ、高度が上下連続起伏の形態で、二側の頂峰３２１２、３２１３は直線式の形態で、これにより、マイクロ導光体３２の作用を経た光束は変化性を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【００２３】
図３３、図３４を参照すると、本発明は実施時に、光学膜片３の各マイクロ導光体３２の中央位置の頂峰３２１１は直線式の形態で、二側の頂峰３２１２、３２１３は、同時に、左右連続湾曲で、且つ、高度が上下連続起伏の形態で、これにより、マイクロ導光体３２の作用を経た光束は変化性を有し、光源は液晶パネルの薄膜トランジスタ、及び、カラーフィルターを通過後、液晶パネル表示時、干渉紋を生成しない。円弧状の頂峰３２１は、光学膜片３の組み立て完成後、或いは、光学膜片３のテスト時に、膜片スタック時に、摩擦を生成して、頂峰３２１の頂端が摩損を受けたり、その他の部分が摩損を受けるのを防止し、光学膜片３、及び、その他の部品の出光功能を保護する。
【図面の簡単な説明】
【００２４】
【図１】公知のバックライトモジュールを示す図である。
【図２】本発明の光学膜片の第一実施例の立体図である。
【図３】図２の上視、及び、側視図である。
【図４】本発明の光学膜片の第二実施例の立体図である。
【図５】図４の上視、及び、側視図である。
【図６】本発明の高低峰頂端が円弧状であることを示す図である。
【図７】本発明の光学膜片の第三実施例の立体図である。
【図８】図７の上視、及び、側視図である。
【図９】本発明の光学膜片の第四実施例の立体図である。
【図１０】図９の上視、及び、側視図である。
【図１１】本発明の光学膜片の第三実施例の立体図である。
【図１２】図１１の上視、及び、側視図である。
【図１３】本発明の光学膜片の第六実施例の立体図である。
【図１４】図１３の上視、及び、側視図である。
【図１５】本発明の光学膜片の第七実施例の立体図である。
【図１６】図１５の上視、及び、側視図である。
【図１７】本発明の光学膜片の第八実施例の立体図である。
【図１８】図１７の上視、及び、側視図である。
【図１９】本発明の光学膜片の第九実施例の立体図である。
【図２０】図１９の上視、及び、側視図である。
【図２１】本発明の光学膜片の第十実施例の立体図である。
【図２２】図２１の上視、及び、側視図である。
【図２３】本発明の光学膜片の第十一実施例の立体図である。
【図２４】図２３の上視、及び、側視図である。
【図２５】本発明の光学膜片の第十二実施例の立体図である。
【図２６】図２５の上視、及び、側視図である。
【図２７】本発明の光学膜片の第十三実施例の立体図である。
【図２８】図２７の上視、及び、側視図である。
【図２９】本発明の光学膜片の第十四実施例の立体図である。
【図３０】図２９の上視、及び、側視図である。
【図３１】本発明の光学膜片の第十五実施例の立体図である。
【図３２】図３１の上視、及び、側視図である。
【図３３】本発明の光学膜片の第十六実施例の立体図である。
【図３４】図３３の上視、及び、側視図である。
【符号の説明】
【００２５】
バックライトモジュール１
光学膜片２
光学膜片３
導光板１１
反射膜片１２
光学膜片１３
ランプ源１４
表面２１
マイクロ導光体２２
表面３１
マイクロ導光体３２
入光面１１１
反射面１１２
出光面１１３
拡散膜１３１
プリズム膜１３２
導光点１１２１
プリズム柱体１３２１
頂峰２２１、３２１、３２１１、３１２１、３２１３
低峰２２１１
高峰２２１２
【図１】
2010078794.tif 000003
【図２】
2010078794.tif 000004
【図３】
2010078794.tif 000005
【図４】
2010078794.tif 000006
【図５】
2010078794.tif 000007
【図６】
2010078794.tif 000008
【図７】
2010078794.tif 000009
【図８】
2010078794.tif 000010
【図９】
2010078794.tif 000011
【図１０】
2010078794.tif 000012
【図１１】
2010078794.tif 000013
【図１２】
2010078794.tif 000014
【図１３】
2010078794.tif 000015
【図１４】
2010078794.tif 000016
【図１５】
2010078794.tif 000017
【図１６】
2010078794.tif 000018
【図１７】
2010078794.tif 000019
【図１８】
2010078794.tif 000020
【図１９】
2010078794.tif 000021
【図２０】
2010078794.tif 000022
【図２１】
2010078794.tif 000023
【図２２】
2010078794.tif 000024
【図２３】
2010078794.tif 000025
【図２４】
2010078794.tif 000026
【図２５】
2010078794.tif 000027
【図２６】
2010078794.tif 000028
【図２７】
2010078794.tif 000029
【図２８】
2010078794.tif 000030
【図２９】
2010078794.tif 000031
【図３０】
2010078794.tif 000032
【図３１】
2010078794.tif 000033
【図３２】
2010078794.tif 000034
【図３３】
2010078794.tif 000035
【図３４】
2010078794.tif 000036